(57)【要約】      （修正有）【課題】夜間の歩行者の安全を期すると共に、自動車、自転車の運転手に歩行者の存在を認識させ、夜間の交通事故の撲滅を目的とする雨傘を提供する。【解決手段】雨傘の上部石突、各骨露先、又は生地周囲３６０°に照明発光材、夜間反射材、小型ＬＥＤランプ等を縫い付け、貼付又は、配線等に依り取り付け、また手元握り部には足元照射用に、角度可変の照明器具を手元中棒内部に収納、着脱可能な懐中電灯を装着し、手元中棒内に収納した乾電池又は各種電池に依り点灯させ手元取り付けのスライドスイッチにて照明光の使用不使用を選択する。【選択図】図１
0003170166.tif 000002
【実用新案登録請求の範囲】
【請求項１】
本考案は、雨傘の上部石突、各骨露先、又は生地周囲３６０°に照明発光材、夜間反射材、小型ＬＥＤランプ等を縫い付け、貼付又は、配線等に依り取り付け、また手元握り部は足元照射用に、角度可変の照明器具を手元中棒内部に収納又、着脱可能な懐中電灯装着し、手元中棒内に収納した乾電池又は各種電池に依り点灯させ手元取り付けのスライドスイッチにて照明光の使用不使用を選択し夜間の歩行者の安全を期すると共に自動車、自転車の運転手者に歩行者の存在を認識させ、夜間の交通事故の撲滅を目的する為の物で有る。本考案を実施する為の、中棒内配線、露先ランプ取り付け構造、及び親骨内配線系統、手元内乾電池収納方法、着脱式懐中電灯取り付け機構、スライドスイッチ取り付け機能、照明ランプ機能を特徴とした、照明付、歩行者交通対策用雨傘。
【考案の詳細な説明】
【技術分野】
【０００１】本考案は、雨傘の石突、各骨露先部、又は生地周囲３６０°に照明発光材、夜間反射材、小型ＬＥＤランプ等を縫い付け、貼付、又は配線等に依り取り付け、また手元には足元照射用に、角度可変の照明器具を手元中棒内部に収納又は、着脱可能な懐中電灯を装着し夜間の歩行者の安全を期すると共に、自動車、自転車の運転手に歩行者の存在を認識させ、夜間の交通事故の撲滅を目的とする物で有る。
【背景技術】
【０００２】雨の日の夜間特に自動車及び自転車と歩行者との接触事故が、多発するが、その多くは、運転手が歩行者の存在に気付くのが遅れる事が原因で有る。
【先行技術文献】
【特許文献】
【０００３】
【特許文献１】
【非特許文献】
【０００４】
【非特許文献１】
【考案の概要】
【考案が解決しようとする課題】
【０００５】雨天の夜間の歩行者は自動車、自転車の運転者にその存在が認識し難く、接触事故、死亡事故の要因大で有り、その危険性は図り知れない。もし一旦事故を起こして仕舞へば、被害者は勿論、加害者に於いてもその悲惨な事は図り知れず、社会的損出は甚大で有る。    本考案は、雨傘石突、各露先、又は生地周囲３６０°に照明発光材、夜間反射材、小型ＬＥＤランプ等を縫い付け、貼付、又は配線等に依り取り付け、また下部手元部には、足元照射用に、角度可変の照明器具を手元中棒内部に収納又は着脱可能な懐中電灯を装着し、夜間の歩行者の安全を期すると共に、自動車、自転車の運転手に歩行者の存在を認識させ、夜間の交通事故の撲滅を目的とする物で有る。
【課題を解決する為の手段】
【０００６】本考案は、雨傘の上部石突、各骨露先、又は生地周囲３６０°に照明発光材、夜間反射材、小型ＬＥＤランプ等を縫い付け、貼付又は、配線等に依り取り付け、また手元握り部は足元照射用に、角度可変の照明器具を手元中棒内部に収納又着脱可能な懐中電灯を装着し、手元中棒内に収納した乾電池又は各種電池に依り点灯させ手元取り付けのスライドスイッチにて照明光の使用不使用を選択し夜間の歩行者の安全を期すると共に、自動車、自転車の運転手者に歩行者の存在を認識させ、夜間の交通事故の撲滅を目的とする為の物で有る。
【考案の効果】
【０００７】事故を起こしてしまった後の被害者、加害者は勿論、当人のみ成らず、家族、兄弟、両親等にも及びその悲惨な事は周知の通りで有り、社会的損失は計り知れない。その悲惨な交通事故の撲滅を目指す事は、個人の利益、社会の利益を向上させる事は社会的責任を果たす事となり、今や社会的責務で有る。
【図面の簡単な説明】
【０００８】
【図１】本考案の交通対策、照明付き歩行交通対策用雨傘の実施例を示す正面図
【図２】本考案の交通対策、照明付き歩行交通対策用雨傘の実施例を示す低面図
【図３】スイッチ取り付け部詳細図
【図４】懐中電灯取り付け冶具図
【考案を実施する為の形態】
【０００９】傘本体の中棒内に乾電池を収納し傘本体の石突、及び傘の骨の各露先に発行体を固定し、又傘生地先端周囲３６０度に幅３０〜５０ｍｍ程度の反射材を縫い付け、貼りけ、固定し、特に石突部は、透明又は半透明とし、中棒収納の乾電池依り其々の発行体、反射材に配線を施し、手元に取り付けた、スライドスイッチにて、その照明の使用、不使用を選択し、傘本体の存在を明確にする事に依り特に夜間歩行者の存在を周囲に認識させる。又手元握り部分には、歩行者の歩行の安全を期す為に、角度可変の懐中電灯を収納又は着脱可能な電灯を取り付ける事に依り、歩行者の足元を照明し夜間の歩行の依り安全を期す事になる。着脱式懐中電灯の取り付けは、はめ込みか又はネジにて締め付ける方式で有り容易に装着出来る。
【実施例】
【００１０】以下添付図面に従って実施例を説明する。１は傘本体であり、その機能は、市販の傘と同等の機能を有する    ２は生地    ３は中棒    ３ａは親骨    ４は露先    ５は露先及び１１取り付けＬＥＤランプ    ７は配線材    ８は切換スイッチ    ９は乾電池    １０は乾電池収納器具    １１は石突    １２は手元    １３は照明ランプで構成される。本発明は４と１１先端に５を収納、固定し、１２内部に収納した９依り７にて３及び３ａ内部を経て５に配線、接続されると共に１２内に収納された１３へと配線、接続される。本発明の機能の操作は１２に取り付けられた８に依り５の発光のみ、また５と１３の同時使用、１３のみの使用、全て不使用の選択を可能とする。
【実施例】
【００１１】１は傘本体であり、その機能は、市販の傘と同等の機能を有する    ２は生地    ３は中棒    ３ａは親骨    ４は露先    ５は露先及び１１取り付けＬＥＤランプ    ７は配線材    ８は切換スイッチ    ９は乾電池    １０は乾電池収納器具    １１は石突    １２は手元    １６は懐中電灯で構成される。本発明は４と１１先端に５を収納、固定し、１２内部に収納した９依り７にて３及び３ａ内部を経て５に配線、接続される。本発明の機能の操作は１２の３に取り付けられた８に依り５の発光のみの、使用、不使用の選択を可能とする。又図４を１２に近くの３に装着市販の１６を取りつけることに依り本発明の主易とする。
【実施例】
【００１２】１は傘本体であり、その機能は、市販の傘と同等の機能を有する    ２は生地    ３は中棒    ３ａは親骨    ４は露先    ５は露先  ６は発光、反射体    ７は配線材    ８は切換スイッチ    ９は乾電池    １０は乾電池収納器具    １１は石突    １２は手元で構成される。本発明は、２に４先端依り幅３０ｍｍ乃至５０ｍｍ程度の６を周囲３６０度に接着、又は縫い付け歩行者の存在を認識せしめる事にある。又、１２内部に収納した９依り７にて配線、接続されると共に１２内に収納された１３へと配線、接続される。本発明の機能の操作は１２の３に取り付けられた８に依り１３の照明のみを使用不使用の選択を可能とする。
【実施例】
【００１３】１は傘本体であり、その機能は、市販の傘と同等の機能を有する    ２は生地    ３は中棒    ３ａは親骨    ４は露先    ６は発光、反射体    １１は石突    １２は手元    １６は懐中電灯で構成される。本発明は２に４先端依り幅３０ｍｍ乃至５０ｍｍ程度の６を周囲３６０度に接着又は縫い付け、歩行者の存在を認識せしめる事にある。又、図４を１２近くの３に装着し、市販の１６を取り付ける事も可能とし歩行者の歩行の依り安全を期す。
【実施例】
【００１４】１は傘本体であり、その機能は、市販の傘と同等の機能を有する    ２は生地    ３は中棒    ３ａは親骨    ４は露先    ５は露先  ６は発光、反射体    ７は配線材    ８は切換スイッチ    ９は乾電池    １０は乾電池収納器具    １１は石突    １２は手元    １３は照明ランプで構成される。本発明は２に４先端依り幅３０ｍｍ乃至５０ｍｍ程度の６を周囲３６０度に接着、縫い付け固定し、１２内部に収納した９依り７にて３及び３ａ内部を経て６に配線、接続されると共に１２内に収納された１３へと配線、接続される。本発明の機能の操作は１２に取り付けられた８に依り６の発光のみ、また６と１３の同時使用、１３のみの使用、全て不使用の選択を可能とする。
【実施例】
【００１５】１は傘本体であり、その機能は、市販の傘と同等の機能を有する    ２は生地    ３は中棒    ３ａは親骨    ４は露先    ５は露先  ６は発光、反射体    ７は配線材    ８は切換スイッチ    ９は乾電池    １０は乾電池収納器具    １１は石突    １２は手元    １３は照明ランプで構成される。本発明は２に４先端依り幅３０ｍｍ乃至５０ｍｍ程度の６を周囲３６０度に接着、縫い付け固定し、１２内部に収納した９依り３及び３ａ内部を経て６に配線、接続される。本発明の機能の操作は１２に取り付けられた８に依り６の発光のみの使用不使用の選択を可能とする。又、図４を１２近くの３に装着し、市販の１６を取り付ける事も可能とし歩行者の歩行の依り安全を期す。
【実施例】
【００１６】本考案の実施例は、上述の如き構成から成るものであるから、雨天の際の日中は８を不使用とし、雨天の夜間の場合本雨傘を使用することに依り、歩行者の安全と自動車、自転車の運転者に歩行者の存在を認識せしめる事により、雨天夜間の交通事故の減少を目的とする物である。
【実施例】
【００１７】上記実施例の詳細は、                ［００１０］  ＬＥＤランプ＋照明ランプ                ［００１１］  ＬＥＤランプ＋懐中電灯                ［００１２］  反射材＋照明ランプ                ［００１３］  反射材＋懐中電灯                ［００１４］  発光体＋照明ランプ  （配線有り）                ［００１５］  発光体＋懐中電灯    （配線有り）
【符号の説明】
【００１８】１、    傘本体２、    生地３      中棒３ａ，  親骨３、    露先４、    ＬＥＤ及び照明ランプ５、    夜間反射材６、    配線材７、    切換スイッチ８、    乾電池９、    乾電池収納器具１１    石突１２    手元１３    照明ランプ１４    懐中電灯固定冶具１５    傘、懐中電灯固定冶具取り付け冶具１６    懐中電灯
【図１】
0003170166.tif 000003
【図２】
0003170166.tif 000004
【図３】
0003170166.tif 000005
【図４】
0003170166.tif 000006
【手続補正書】
【提出日】平成23年6月15日(2011.6.15)
【手続補正１】
【補正対象書類名】実用新案登録請求の範囲
【補正対象項目名】全文
【補正方法】変更
【補正の内容】
【実用新案登録請求の範囲】
【請求項１】
本考案は、雨傘の上部石突、各骨露先、又は生地周囲３６０°に照明発光材、夜間反射材、小型ＬＥＤランプ等を縫い付け、貼付又は、配線等に依り取り付け、また手元握り部は足元照射用に、角度可変の照明器具を手元中棒内部に収納又、着脱可能な懐中電灯装着し、手元中棒内に収納した乾電池又は各種電池に依り点灯させ手元取り付けのスライドスイッチにて照明光の使用不使用を選択し夜間の歩行者の安全を期すると共に自動車、自転車の運転手者に歩行者の存在を認識させ、夜間の交通事故の撲滅を目的とし、特徴とする照明付き歩行者交通対策雨傘。